(57)【要約】【課題】熱風を回転ドラム内に供給して衣類を乾燥する衣類乾燥機において、特定のコースが選択されているときは乾燥速度を速くし、乾燥時間を短縮する。【解決手段】衣類を収納し乾燥させる回転ドラム２内に、ガス燃焼部１２により加熱された熱風を送風ファン１０により供給し、回転ドラム２内の衣類の乾燥度を乾燥度検出手段１９により検出する。制御手段２２により乾燥度検出手段１９と乾燥運転の方式を使用者が選択できるコース選択手段２１との情報によりガス燃焼部１２への入力を制御する。制御手段２２は、通常は乾燥度検出手段１９により検出された乾燥度の進行に伴いガス燃焼部１２への入力を徐々に低くするように設定し、コース選択手段２１により「最速」コース（特定のコース）が選択されているときは乾燥度検出手段１９により検出された乾燥度によらずにガス燃焼部１２への入力を最高に設定するように構成する。【選択図】  図１
2004195099.tif 000002
【特許請求の範囲】
【請求項１】
衣類を収納し乾燥させる回転ドラムと、前記回転ドラム内に熱源により加熱された熱風を供給する送風ファンと、前記回転ドラム内の衣類の乾燥度を検出する乾燥度検出手段と、乾燥運転の方式を使用者が選択できるコース選択手段と、前記乾燥度検出手段と前記コース選択手段との情報により前記熱源への入力を制御する制御手段とを備え、前記制御手段は、通常は前記乾燥度検出手段により検出された乾燥度の進行に伴い前記熱源への入力を徐々に低くするように設定し、前記コース選択手段により特定のコースが選択されているときは前記乾燥度検出手段により検出された乾燥度によらずに前記熱源への入力を最高に設定するように構成した衣類乾燥機。
【請求項２】
制御手段は、コース選択手段により特定のコースが選択されているときであっても、乾燥度検出手段により検出された乾燥度の変化の速度が遅いと検知したときは、乾燥度の進行に伴い熱源への入力を徐々に低くするように構成した請求項１記載の衣類乾燥機。
【発明の詳細な説明】
【０００１】
【発明の属する技術分野】
本発明は、熱風を回転ドラム内に供給して衣類を乾燥する衣類乾燥機に関するものである。
【０００２】
【従来の技術】
従来、衣類乾燥機においては、衣類の含水量が減少している運転の後半において衣類の表面温度の上昇を防止するため、乾燥度検出手段により検出された乾燥度の進行に伴い熱源への入力を徐々に低くするように構成していた（例えば、特許文献１参照）。
【０００３】
【特許文献１】
特開平０６−３２７８９９号公報（第１０−１１頁、第３図）
【０００４】
【発明が解決しようとする課題】
このような従来の衣類乾燥機では、衣類の乾燥度の進行に応じて、熱源への入力を徐々に低くするように構成していたので、乾燥速度が遅くなるという問題があった。
【０００５】
本発明は上記従来の課題を解決するもので、特定のコースが選択されているときは乾燥速度を速くし、乾燥時間を短縮することを目的としている。
【０００６】
【課題を解決するための手段】
本発明は上記目的を達成するために、衣類を収納し乾燥させる回転ドラム内に、熱源により加熱された熱風を送風ファンにより供給し、回転ドラム内の衣類の乾燥度を乾燥度検出手段により検出し、制御手段により乾燥度検出手段と乾燥運転の方式を使用者が選択できるコース選択手段との情報により熱源への入力を制御するよう構成し、制御手段は、通常は乾燥度検出手段により検出された乾燥度の進行に伴い熱源への入力を徐々に低くするように設定し、コース選択手段により特定のコースが選択されているときは乾燥度検出手段により検出された乾燥度によらずに熱源への入力を最高に設定するように構成したものである。
【０００７】
これにより、特定のコースが選択されているときは乾燥速度を速くすることができて、乾燥時間を短縮することができる。
【０００８】
【発明の実施の形態】
本発明の請求項１に記載の発明は、衣類を収納し乾燥させる回転ドラムと、前記回転ドラム内に熱源により加熱された熱風を供給する送風ファンと、前記回転ドラム内の衣類の乾燥度を検出する乾燥度検出手段と、乾燥運転の方式を使用者が選択できるコース選択手段と、前記乾燥度検出手段と前記コース選択手段との情報により前記熱源への入力を制御する制御手段とを備え、前記制御手段は、通常は前記乾燥度検出手段により検出された乾燥度の進行に伴い前記熱源への入力を徐々に低くするように設定し、前記コース選択手段により特定のコースが選択されているときは前記乾燥度検出手段により検出された乾燥度によらずに前記熱源への入力を最高に設定するように構成したものであり、特定のコースが選択されているときは乾燥速度を速くすることができて、乾燥時間を短縮することができる。
【０００９】
請求項２に記載の発明は、上記請求項１に記載の発明において、制御手段は、コース選択手段により特定のコースが選択されているときであっても、乾燥度検出手段により検出された乾燥度の変化の速度が遅いと検知したときは、乾燥度の進行に伴い熱源への入力を徐々に低くするように構成したものであり、特定のコースが選択されているときであっても、衣類の表面温度の上昇を防止することができる。
【００１０】
【実施例】
以下、本発明の実施例について、図面を参照しながら説明する。
【００１１】
（実施例１）
図２に示すように、筐体１は、内部に回転ドラム２を前部の開口部に設けたドラム支持板３で支持し、回転ドラム２の後部はシャフト４を介してファンケース５にて回転自在に支持している。この回転ドラム２の奥壁にフィルター６およびフィルターカバー７を装着し、衣類から出るリントが機外に放出しないようにしている。モータ８は、ファンベルト９にてファンケース５内に設けた送風ファン１０に連結し、回転ドラム２内に熱風を送風して衣類を乾燥する。
【００１２】
また、回転ドラム２内の衣類を撹拌するために、モータ８と連結したドラムベルト１１を介して回転ドラム２を回転する。ガス燃焼部（熱源）１２は、筐体１内に設けた燃焼室１３に収納し、ガスを燃焼して回転ドラム２内に供給する熱風を加熱する。矢印Ａは風の流れを示す。温度センサ１５は熱風温度を検出するものであり、電磁開閉弁１４は、ガス燃焼部１２で燃焼するガスの供給量を制御するものである。
【００１３】
電極１６は、ドラム支持板３に取り付け、衣類に接触するようにしている。この電極１６は、図３に示すように、２個の導電部材１７と絶縁部材１８とにより構成され、図１に示すように、乾燥度検出手段１９に入力している。乾燥度検出手段１９は導電部材１７間の抵抗値Ｒを検出することによって衣類の乾燥度を検出するよう構成している。
【００１４】
図４に示すように、機器の前面には操作部２０を設けており、コース選択手段２１により使用者が「最速」、「標準」などの運転コースを選択できるよう構成している。
【００１５】
制御手段２２は、マイクロコンピュータにより構成し、図１に示すように、乾燥度検出手段１９とコース選択手段２１より入力された情報により、電磁開閉弁１４およびモータ８を制御する。
【００１６】
ここで、制御手段２２は、コース選択手段２１により使用者が「最速」コース以外の運転コース、たとえば「標準」コースを選択しているときは、乾燥度検出手段１９により検出された乾燥度の進行に伴い、電磁開閉弁１４を介して、ガス燃焼部１２への入力を徐々に低くするように設定し、コース選択手段２１により「最速」コースを選択しているときは、乾燥度検出手段１９により検出された乾燥度によらずにガス燃焼部１２への入力を最高に設定するように構成している。
【００１７】
上記構成において、コース選択手段２１により使用者が「最速」コース以外の運転コース、たとえば「標準」コースを選択した場合の動作について図５を参照しながら説明する。
【００１８】
制御手段２２は、導電部材１７間の抵抗値Ｒが、図５（ａ）に示すように、所定時間Ｔ１の間、連続して設定値Ｒ１よりも大きくなった時刻ｔ２より、設定された所定時間Ｔ３経過した時刻ｔ４において運転を終了する。そして、制御手段２２は図５（ｂ）ような乾燥度検出手段１９により検出された乾燥度に応じて、電磁開閉弁１４を介して、図５（ｃ）に示すように、ガス燃焼部１２で燃焼するガスの供給量を徐々に低くするように制御する。
【００１９】
これは、運転前半の衣類に含まれる水分量が多いときはガス供給量を多くして高温の熱風が当たっても衣類の表面温度は上昇しないが、運転後半の衣類に含まれる水分量が少ないときに高温の熱風が当たると衣類の表面温度が上昇しやすいためであり、熱による衣類の損傷を防止しながら乾燥の高速化を図っている。
【００２０】
一方、コース選択手段２１により使用者が運転コースとして「最速」コースを選択した場合の動作について図６を参照しながら説明する。ただし、「最速」コースで運転できる衣類の容量は定格容量に比べて極めて少ないことを明示している。
【００２１】
制御手段２２は、導電部材１７間の抵抗値Ｒが、図６（ａ）に示すように、所定時間Ｔ５の間、連続して設定値Ｒ１よりも大きくなった時刻ｔ６より、設定された所定時間Ｔ７経過した時刻ｔ８において運転を終了する。そして、制御手段２２は図６（ｂ）ような乾燥度検出手段１９により検出された乾燥度によらずに、図６（ｃ）に示すように、電磁開閉弁１４を介して、ガス燃焼部１２で燃焼するガスの供給量は最高に設定するように制御する。
【００２２】
「最速」コースを選択する場合は衣類の容量が少ないため、運転後半の衣類に含まれる水分量が少ないときに高温の熱風が当たっても衣類の表面温度は上昇しにくく、熱による衣類の損傷は防止しながらさらなる乾燥の高速化が図れる。
【００２３】
このように本実施例によれば、通常は乾燥度検出手段１９により検出された乾燥度の進行に伴いガス燃焼部１２への入力を徐々に低くするように設定し、コース選択手段２１により「最速」コース（特定のコース）が選択されているときは乾燥度検出手段１９により検出された乾燥度によらずにガス燃焼部１２への入力を最高に設定するように構成したので、「最速」コース（特定のコース）が選択されているときは乾燥速度を速くすることができて、乾燥時間を短縮することができる。
【００２４】
（実施例２）
図１に示す制御手段２２は、コース選択手段２１により「最速」コースが選択されているときであっても、表示している容量以上の衣類を投入した場合など、乾燥度検出手段１９により検出された乾燥度の変化の速度が遅いと検知したときは、乾燥度の進行に伴いガス燃焼部１２への入力を徐々に低くするように構成している。他の構成は上記実施例１と同じである。
【００２５】
上記構成において、コース選択手段２１により使用者が運転コースとして「最速」コースを選択し、表示している容量以上の衣類を投入して運転を開始した場合の動作について図７を参照しながら説明する。
【００２６】
制御手段２２は、運転開始時はガス燃焼部１２で燃焼するガスの供給量を最高に設定し、導電部材１７間の抵抗値Ｒが、図７（ａ）に示すように、所定時間Ｔ９の間、連続して設定値Ｒ１よりも大きくなった時刻ｔ１０において、乾燥度の変化の速度が遅いと検知すると、以降は図７（ｂ）ような乾燥度検出手段１９により検出された乾燥度に応じて、電磁開閉弁１４を介して、図７（ｃ）に示すように、ガス燃焼部１２で燃焼するガスの供給量を徐々に低くするように制御し、設定された所定時間Ｔ１０経過した時刻ｔ１２において運転を終了する。
【００２７】
これは、乾燥度の変化の速度が遅いことを検知し、衣類の容量が多いと判断したためである。衣類の容量が多い場合、運転後半の衣類に含まれる水分量が少ないときに高温の熱風が当たると衣類の表面温度は上昇しやすく、熱による衣類の損傷の可能性があるためである。すなわち、コース選択手段２１により使用者が運転コースとして「最速」コースを選択しても、表示している容量以上の衣類を投入した場合は、ガスの供給量は途中から徐々に低くする。
【００２８】
このように本実施例によれば、コース選択手段２１により「最速」コース（特定のコース）が選択されているときであっても、乾燥度検出手段１９により検出された乾燥度の変化の速度が遅いと検知したときは、乾燥度の進行に伴いガス燃焼部１２への入力を徐々に低くするように構成したので、最速」コース（特定のコース）が選択されているときであっても、衣類の表面温度の上昇を防止することができる。
【００２９】
【発明の効果】
以上のように、本発明の請求項１に記載の発明によれば、制御手段により乾燥度検出手段と乾燥運転の方式を使用者が選択できるコース選択手段との情報により熱源への入力を制御するよう構成し、通常は乾燥度検出手段により検出された乾燥度の進行に伴い熱源への入力を徐々に低くするように設定し、コース選択手段により特定のコースが選択されているときは乾燥度検出手段により検出された乾燥度によらずに熱源への入力を最高に設定するように構成したから、特定のコースが選択されているときは乾燥速度を速くすることができて、乾燥時間を短縮することができる。
【図面の簡単な説明】
【図１】本発明の第１の実施例の衣類乾燥機のブロック図
【図２】同衣類乾燥機の縦断面図
【図３】同衣類乾燥機の電極部の拡大斜視図
【図４】同衣類乾燥機の正面図
【図５】同衣類乾燥機の「標準」コースが選択されたときの動作タイムチャート
【図６】同衣類乾燥機の「最速」コースが選択されたときの動作タイムチャート
【図７】本発明の第２の実施例の衣類乾燥機の衣類の容量が多く投入され「最速」コースが選択されたときの動作タイムチャート
【符号の説明】
２  回転ドラム
１０  送風ファン
１２  ガス燃焼部（熱源）
１９  乾燥度検出手段
２１  コース選択手段
２２  制御手段
【図１】
2004195099.tif 000003
【図２】
2004195099.tif 000004
【図３】
2004195099.tif 000005
【図４】
2004195099.tif 000006
【図５】
2004195099.tif 000007
【図６】
2004195099.tif 000008
【図７】
2004195099.tif 000009